(57)【要約】【課題】被検体内部におけるカプセル型内視鏡等の被検体内導入装置の移動状態を検出する移動状態検出装置および移動状態検出システムを実現する。【解決手段】移動状態検出装置に備わる移動状態導出装置８は、受信アンテナ７ａ〜７ｈの中から受信強度の高い３個の受信アンテナ７の選択制御を行う選択制御部２４ａと、選択した受信アンテナ７における受信強度に基づいてカプセル型内視鏡の位置を複数の異なる時刻に渡って導出する位置導出部２４ｃと、導出した位置情報を記憶するカプセル位置記憶部２８とを備える。また、カプセル位置記憶部２８に記憶された位置情報に基づきカプセル型内視鏡の位置変化率を導出し、導出した位置変化率に基づいて移動状態の判定を行う状態判定部２４ｄを備える。【選択図】        図３
2006026164.tif 000002
【特許請求の範囲】
【請求項１】
被検体の内部を移動し、距離に応じて減衰するセンサ信号を出力する被検体内導入装置の移動状態を検出する移動状態検出装置であって、
前記センサ信号を受信する受信アンテナ手段と、
前記受信アンテナ手段における受信強度に基づいて前記被検体内導入装置の位置を導出する位置導出手段と、
前記位置導出手段によって導出された前記被検体内導入装置の位置の変化率に基づき前記被検体内導入装置の移動状態を判定する状態判定手段と、
を備えたことを特徴とする移動状態検出装置。
【請求項２】
前記状態判定手段は、前記位置導出手段によって異なる複数の時刻に導出された前記被検体内導出装置の位置に基づいて変化率を導出することを特徴とする請求項１に記載の移動状態検出装置。
【請求項３】
被検体の内部を移動すると共に、前記被検体の内部において、距離に応じて減衰するセンサ信号を出力する被検体内導入装置の移動状態を検出する移動状態検出装置であって、
前記センサ信号を受信する複数の受信アンテナ手段と、
前記センサ信号の受信強度に応じて、所定時間間隔毎に複数の前記受信アンテナ手段の一部を選択するアンテナ選択手段と、
前記アンテナ選択手段によって同一の前記受信アンテナ手段が継続的に選択されている継続選択時間を計測する計時手段と、
前記計時手段によって計測された継続選択時間に基づいて前記被検体内導入装置の移動状態を判定する状態判定手段と、
を備えたことを特徴とする移動状態検出装置。
【請求項４】
前記アンテナ選択手段は、前記受信強度の大きい順に所定数の前記受信アンテナ手段を選択し、
前記計時手段は、同一選択した前記受信アンテナ手段間における受信強度の大小関係についても同一となる時間を継続選択時間として計測することを特徴とする請求項３に記載の移動状態検出装置。
【請求項５】
被検体内に導入され、所定の被検体内情報を取得すると共に前記被検体内情報を含む無線信号を外部に無線送信する被検体内導入装置と、該被検体内導入装置から送信された無線信号を受信すると共に前記被検体内情報の移動状態の導出を行う移動状態検出装置とを備えた被検体内移動状態検出システムであって、
前記被検体内導入装置は、
センサ信号を送信するセンサ信号送信手段を備え、
前記移動状態検出装置は、
前記センサ信号を受信する受信アンテナ手段と、
前記受信アンテナ手段における受信強度に基づいて前記被検体内導入装置の位置を導出する位置導出手段と、
前記位置導出手段によって導出される位置の変化率に基づき前記被検体内導入装置の移動状態を判定する状態判定手段と、
を備えたことを特徴とする移動状態検出システム。
【請求項６】
被検体内に導入され、所定の被検体内情報を取得すると共に前記被検体内情報を含む無線信号を外部に無線送信する被検体内導入装置と、該被検体内導入装置から送信された無線信号を受信すると共に前記被検体内情報の移動状態の導出を行う移動状態検出装置とを備えた被検体内移動状態検出システムであって、
前記被検体内導入装置は、
センサ信号を送信するセンサ信号送信手段を備え、
前記移動状態検出装置は、
前記センサ信号を受信する複数の受信アンテナ手段と、
前記センサ信号の受信強度に応じて、所定時間間隔毎に複数の前記受信アンテナ手段の一部を選択するアンテナ選択手段と、
前記アンテナ選択手段によって同一の前記受信アンテナ手段が継続的に選択されている継続選択時間を計測する計時手段と、
前記計時手段によって計測された継続選択時間に基づいて前記被検体内導入装置の移動状態を判定する状態判定手段と、
を備えたことを特徴とする移動状態検出システム。
【請求項７】
前記移動状態検出装置は、
前記被検体の内部において所定の被検体内情報を取得する被検体内情報取得手段をさらに備え、
前記センサ信号送信手段は、センサ信号として前記被検体内情報取得手段を含む無線信号を送信し、
前記移動状態検出装置は、
前記受信アンテナ手段を介して受信された無線信号から前記被検体内情報を抽出する情報抽出手段をさらに備えたことを特徴とする請求項５または６に記載の移動状態検出システム。
【請求項８】
前記被検体内情報と、少なくとも該被検体内情報を取得した位置近傍における前記被検体内導入装置の移動状態とを表示する表示装置をさらに備えたことを特徴とする請求項７に記載の移動状態検出システム。
【発明の詳細な説明】
【技術分野】
【０００１】
本発明は、被検体の内部を移動すると共に、前記被検体の内部において、距離に応じて減衰するセンサ信号を出力する被検体内導入装置の移動状態を検出する移動状態検出装置および移動状態検出システムに関するものである。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部に設けられたメモリに蓄積される。無線通信機能とメモリ機能とを備えた受信機を携帯することにより、被検体は、カプセル型内視鏡を飲み込んだ後、排出されるまでの間に渡って、自由に行動できる。カプセル型内視鏡が排出された後、医者もしくは看護士においては、メモリに蓄積された画像データに基づいて臓器の画像をディスプレイに表示させて診断を行うことができる（例えば、特許文献１参照）。
【０００４】
従来のカプセル型内視鏡では、胃、小腸等に関する被検体内画像の撮像間隔は、撮像によって得られた画像のデータ量、無線通信機能の送信容量および撮像機能等の電力消費量を考慮して定められている。例えば、従来のカプセル型内視鏡では、撮像間隔として、１秒あたり２回撮像するようあらかじめ設定されており、被検体の外部に排出されるまでかかる撮像間隔で撮像を繰り返している。
【０００５】
【特許文献１】特開２００３−１９１１１号公報
【発明の開示】
【発明が解決しようとする課題】
【０００６】
しかしながら、従来のカプセル型内視鏡は、撮像間隔が一定の値に維持されていたために、被検体内部におけるカプセル型内視鏡の移動速度の変動に応じて、重複した領域の撮像が繰り返される等の課題を有する。以下、かかる課題について詳細に説明を行う。
【０００７】
被検体の内部におけるカプセル型内視鏡の移動状態は一定ではなく、カプセル型内視鏡は、例えば、食道内では迅速に移動する一方で、胃には比較的長時間留まるといった特性を有する。また、かかるカプセル型内視鏡の移動状態の態様は被検体ごとに相違し、同一の被検体であっても体調等によって相違することとなる。
【０００８】
このため、例えば従来のように固定された間隔で撮像動作を行うこととした場合には、カプセル型内視鏡が高速で移動する領域では、取得される画像データの数が少なくなる一方、低速で移動する領域では、ほぼ同一の画像が複数回撮像されることとなる。カプセル型内視鏡は被検体内に導入可能な程度に小型化する必要があると共に、内蔵の小容量バッテリから供給される電力によって駆動する構成を有することから撮像枚数に限りがあり、ほぼ同一の領域について複数回に渡って撮像動作を行う等の無駄を省く必要がある。
【０００９】
一方で、被検体内部におけるカプセル型内視鏡の移動態様に応じて撮像間隔を変化させるためには、前提としてカプセル型内視鏡の移動態様を把握する必要性が生じる。しかしながら、消費電力の増加等を回避しつつ被検体内のカプセル型内視鏡の移動状態を検出する技術について、現時点では有効な提案がなされていないのが現状である。
【００１０】
本発明は、上記に鑑みてなされたものであって、被検体内部におけるカプセル型内視鏡等の被検体内導入装置の移動状態を検出する移動状態検出装置および移動状態検出システムを実現することを目的とする。
【課題を解決するための手段】
【００１１】
上述した課題を解決し、目的を達成するために、請求項１にかかる移動状態検出装置は、被検体の内部を移動し、距離に応じて減衰するセンサ信号を出力する被検体内導入装置の移動状態を検出する移動状態検出装置であって、前記センサ信号を受信する受信アンテナ手段と、前記受信アンテナ手段における受信強度に基づいて前記被検体内導入装置の位置を導出する位置導出手段と、前記位置導出手段によって導出された前記被検体内導入装置の位置の変化率に基づき前記被検体内導入装置の移動状態を判定する状態判定手段と、を備えたことを特徴とする。
【００１２】
この請求項１の発明によれば、導出した位置に基づいて被検体内導入装置の移動状態を状態判定手段によって判定することによって、例えば医師、看護士等が、被検体内部における被検体内導入装置の移動態様を容易に把握することが可能である。
【００１３】
また、請求項２にかかる移動状態検出装置は、上記の発明において、前記状態判定手段は、前記位置導出手段によって異なる複数の時刻に導出された前記被検体内導出装置の位置に基づいて変化率を導出することを特徴とする。
【００１４】
また、請求項３にかかる移動状態検出装置は、上記の発明において、被検体の内部を移動すると共に、前記被検体の内部において、距離に応じて減衰するセンサ信号を出力する被検体内導入装置の移動状態を検出する移動状態検出装置であって、前記センサ信号を受信する複数の受信アンテナ手段と、前記センサ信号の受信強度に応じて、所定時間間隔毎に複数の前記受信アンテナ手段の一部を選択するアンテナ選択手段と、前記アンテナ選択手段によって同一の前記受信アンテナ手段が継続的に選択されている継続選択時間を計測する計時手段と、前記計時手段によって計測された継続選択時間に基づいて前記被検体内導入装置の移動状態を判定する状態判定手段とを備えたことを特徴とする。
【００１５】
この請求項３の発明によれば、複数の中から一部の受信アンテナを選択するアンテナ選択手段を備えると共に、アンテナ選択手段によって同一の受信アンテナ手段が継続的に選択される継続選択時間に基づいて被検体内導入装置の移動状態を判定する状態判定手段を備えることとしたため、簡易な構成によって移動状態の判定を行うことが可能である。
【００１６】
また、請求項４にかかる移動状態検出装置は、上記の発明において、前記アンテナ選択手段は、前記受信強度の大きい順に所定数の前記受信アンテナ手段を選択し、前記計時手段は、同一選択した前記受信アンテナ手段間における受信強度の大小関係についても同一となる時間を継続選択時間として計測することを特徴とする。
【００１７】
また、請求項５にかかる移動状態検出システムは、被検体内に導入され、所定の被検体内情報を取得すると共に前記被検体内情報を含む無線信号を外部に無線送信する被検体内導入装置と、該被検体内導入装置から送信された無線信号を受信すると共に前記被検体内情報の移動状態の導出を行う移動状態検出装置とを備えた被検体内移動状態検出システムであって、前記被検体内導入装置は、センサ信号を送信するセンサ信号送信手段を備え、前記移動状態検出装置は、前記センサ信号を受信する受信アンテナ手段と、前記受信アンテナ手段における受信強度に基づいて前記被検体内導入装置の位置を導出する位置導出手段と、前記位置導出手段によって導出される位置の変化率に基づき前記被検体内導入装置の移動状態を判定する状態判定手段とを備えたことを特徴とする。
【００１８】
また、請求項６にかかる移動状態検出システムは、被検体内に導入され、所定の被検体内情報を取得すると共に前記被検体内情報を含む無線信号を外部に無線送信する被検体内導入装置と、該被検体内導入装置から送信された無線信号を受信すると共に前記被検体内情報の移動状態の導出を行う移動状態検出装置とを備えた被検体内移動状態検出システムであって、前記被検体内導入装置は、センサ信号を送信するセンサ信号送信手段を備え、前記移動状態検出装置は、前記センサ信号を受信する複数の受信アンテナ手段と、前記センサ信号の受信強度に応じて、所定時間間隔毎に複数の前記受信アンテナ手段の一部を選択するアンテナ選択手段と、前記アンテナ選択手段によって同一の前記受信アンテナ手段が継続的に選択されている継続選択時間を計測する計時手段と、前記計時手段によって計測された継続選択時間に基づいて前記被検体内導入装置の移動状態を判定する状態判定手段と、を備えたことを特徴とする。
【００１９】
また、請求項７にかかる移動状態検出システムは、上記の発明において、前記移動状態検出装置は、前記被検体の内部において所定の被検体内情報を取得する被検体内情報取得手段をさらに備え、前記センサ信号送信手段は、センサ信号として前記被検体内情報取得手段を含む無線信号を送信し、前記移動状態検出装置は、前記受信アンテナ手段を介して受信された無線信号から前記被検体内情報を抽出する情報抽出手段をさらに備えたことを特徴とする。
【００２０】
また、請求項８にかかる移動状態検出システムは、上記の発明において、前記被検体内情報と、少なくとも該被検体内情報を取得した位置近傍における前記被検体内導入装置の移動状態とを表示する表示装置をさらに備えたことを特徴とする。
【発明の効果】
【００２１】
本発明にかかる移動状態検出装置および移動状態検出システムは、導出した位置に基づいて被検体内導入装置の移動状態を状態判定手段によって判定することによって、例えば医師、看護士等が、被検体内部における被検体内導入装置の移動態様を容易に把握することが可能という効果を奏する。
【００２２】
また、本発明にかかる移動状態検出装置および移動状態検出システムは、複数の中から一部の受信アンテナを選択するアンテナ選択手段を備えると共に、アンテナ選択手段によって同一の受信アンテナ手段が継続的に選択される継続選択時間に基づいて被検体内導入装置の移動状態を判定する状態判定手段を備えることとしたため、簡易な構成によって移動状態の判定を行うことが可能という効果を奏する。
【発明を実施するための最良の形態】
【００２３】
以下、この発明を実施するための最良の形態（以下、単に「実施の形態」と称する）である移動状態検出装置および移動状態検出システムについて説明する。なお、図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。
【００２４】
（実施の形態１）
まず、実施の形態１にかかる移動状態検出システムについて説明する。図１は、本実施の形態１にかかる移動状態検出システムの全体構成を示す模式図である。図１に示すように、本実施の形態１にかかる移動状態検出システムは、被検体１の内部に導入され、被検体内導入装置の一例として機能するカプセル型内視鏡２と、被検体１内部におけるカプセル型内視鏡２の移動状態の検出等を行う移動状態検出装置３と、移動状態検出装置３によって検出されたカプセル型内視鏡２の移動状態等を表示する表示装置４と、移動状態検出装置３と表示装置４との間の情報の受け渡しを行うための携帯型記録媒体５とを備える。
【００２５】
表示装置４は、移動状態検出装置３によって取得されたカプセル型内視鏡２の移動状態等を表示するためのものであり、携帯型記録媒体５によって得られるデータに基づいて画像表示を行うワークステーション等のような構成を有する。具体的には、表示装置４は、ＣＲＴディスプレイ、液晶ディスプレイ等によって直接画像を表示する構成としても良いし、プリンタ等のように、他の媒体に画像を出力する構成としても良い。
【００２６】
携帯型記録媒体５は、後述する移動状態導出装置８および表示装置４に対して着脱可能であって、両者に対する装着時に情報の出力および記録が可能な構造を有する。具体的には、携帯型記録媒体５は、カプセル型内視鏡２が被検体１の体腔内を移動している間は移動状態導出装置８に装着されてカプセル型内視鏡２の位置に関する情報を記録する。そして、カプセル型内視鏡２が被検体１から排出された後に、移動状態導出装置８から取り出されて表示装置４に装着され、記録したデータが表示装置４によって読み出される構成を有する。移動状態導出装置８と表示装置４との間のデータの受け渡しをコンパクトフラッシュ（登録商標）メモリ等の携帯型記録媒体５によって行うことで、移動状態導出装置８と表示装置４との間が有線接続された場合と異なり、カプセル型内視鏡２が被検体１内部を移動中であっても、被検体１が自由に行動することが可能となる。
【００２７】
カプセル型内視鏡２は、特許請求の範囲における被検体内導入装置の一例として機能するものであり、被検体１内に導入されて被検体内情報を取得すると共に、取得した被検体内情報を含む無線信号を外部に送信するためのものである。また、後述するように、カプセル型内視鏡２から送信された無線信号は、被検体内情報の伝送信号として機能するのみならず、特許請求の範囲におけるセンサ信号の一例としても機能している。
【００２８】
図２は、カプセル型内視鏡２の構成を示すブロック図である。図２に示すように、カプセル型内視鏡２は、被検体内情報取得部９と、被検体内情報取得部９によって取得された被検体内情報を含む無線信号を送信する無線送信部１０と、被検体内情報取得部９および無線送信部１０の駆動状態を制御するシステムコントロール回路１８と、無線送信部１０等に駆動電力を供給する蓄電器１９とを備える。
【００２９】
被検体内情報取得部９は、カプセル型内視鏡２が被検体１内部に導入されている間に、被検体１の内部に関する情報である被検体内情報を取得するためのものである。本実施の形態１においては被検体内情報として被検体内画像を取得することととしており、被検体内情報取得部９は、被検体内画像の取得のために必要となる構成要素を備えている。
【００３０】
具体的には、被検体内情報取得部９は、特許請求の範囲における照明手段の一例として機能するＬＥＤ１１と、ＬＥＤ１１の駆動状態を制御するＬＥＤ駆動回路１２と、特許請求の範囲における撮像手段の一例として機能するＣＣＤ１３と、ＣＣＤ１３の駆動状態を制御するＣＣＤ駆動回路１４とを備える。
【００３１】
無線送信部１０は、被検体内情報取得部９によって取得された被検体内情報を含み、特許請求の範囲におけるセンサ信号の一例として機能する無線信号を外部に送信するためのものである。無線送信部１０は、ＣＣＤ１３によって取得された被検体内画像に対して必要に応じた所定の処理を行うことによって無線信号を生成する送信回路１６と、送信回路１６によって生成された無線信号を送信するための送信アンテナ部１７とを備える。
【００３２】
次に、移動状態検出装置３について説明する。図１にも示すように、移動状態検出装置３は、受信アンテナ７ａ〜７ｈと、受信アンテナ７ａ〜７ｈと接続された移動状態導出装置とを備えた構成を有する。
【００３３】
受信アンテナ７ａ〜７ｈは、カプセル型内視鏡２から送信された無線信号を受信するためのものである。具体的には、受信アンテナ７ａ〜７ｈは、例えばループアンテナと、ループアンテナを被検体１の体表面上に固定するための固着手段とを備えた構成を有する。
【００３４】
移動状態導出装置８は、受信アンテナ７ａ〜７ｈの中から受信に適した受信アンテナ７を複数選択する機構と、選択した受信アンテナ７を介して受信した無線信号から被検体内情報、本実施の形態１では被検体内画像に関する情報を取得する機構とを備える。また、移動状態導出装置８は、選択した複数の受信アンテナ７のそれぞれにおける無線信号の受信強度に基づきカプセル型内視鏡２の位置を導出する機構と、導出されたカプセル型内視鏡２の位置の変動態様に基づき、カプセル型内視鏡２の移動状態を把握する機構とを備える。
【００３５】
まず、移動状態導出装置８は、受信アンテナ７ａ〜７ｈの中から受信に適した受信アンテナ７を選択する機構として、受信アンテナ７ａ〜７ｈのそれぞれにおいて受信された無線信号のうち、選択した受信アンテナ７を介して受信された無線信号のみを出力するアンテナ選択部２１と、アンテナ選択部２１を介して入力された無線信号に対して所定の処理を行う受信回路２２と、受信回路２２から出力される受信強度信号をアナログ・ディジタル変換するＡ／Ｄ変換部２６とを備える。また、アンテナ選択動作の際に所定の制御を行うための選択制御部２４ａが、制御部２４内に設けられている。
【００３６】
アンテナ選択部２１は、受信アンテナ７ａ〜７ｈの中から、カプセル型内視鏡２から送信される無線信号の受信に適した受信アンテナ７を選択するためのものである。図１にも示したように、受信アンテナ７ａ〜７ｈは、それぞれ被検体１の体表面上の異なる位置に配置されており、カプセル型内視鏡２が被検体１内で移動するに従って、受信アンテナ７ａ〜７ｈのそれぞれとカプセル型内視鏡２との間の距離が変化することとなる。このため、本実施の形態１では、複数の受信アンテナ７ａ〜７ｈを備えると共に、アンテナ選択部２１によってカプセル型内視鏡２から送信される無線信号の受信に最も適した受信アンテナ７を選択する構成を採用している。アンテナ選択部２１は、具体的には制御部２４に備わる選択制御部２４ａの制御に基づいて、受信アンテナ７を選択する機能を有する。
【００３７】
受信回路２２は、受信アンテナ７ａ〜７ｈのいずれかを介して受信された無線信号に対して、所定の処理を行うためのものである。具体的には、受信回路２２は、後述する被検体内情報の抽出に必要な処理を行うと共に、Ａ／Ｄ変換部２６に対して、無線信号の受信強度に対応した信号、例えばＲＳＳＩ（Received Signal Strength Indicator: 受信信号強度表示信号）をアナログ信号の形式で出力する機能を有する。
【００３８】
選択制御部２４ａは、制御部２４内に設けられており、受信アンテナ７ａ〜７ｈのそれぞれにおける受信強度に基づいてアンテナ選択を行うためのものである。具体的には、選択制御部２４ａは、Ａ／Ｄ変換部２６を介して入力される受信強度値に基づき受信に適した受信アンテナ７を３個選択し、選択した受信アンテナ７を介して受信した無線信号のみを受信回路２２に対して出力するようアンテナ選択部２１を制御する。選択制御部２４ａによる具体的なアンテナ選択アルゴリズムについては後に詳細に説明する。
【００３９】
また、移動状態導出装置８は、被検体内情報を取得するための機構として、アンテナ選択部２１および受信回路２２を経由し、所定の処理が施された無線信号の中から被検体内情報、本実施の形態１においては被検体内画像情報を抽出する情報抽出回路２３と、抽出した被検体内画像等を携帯型記録媒体５に対して出力するための出力インターフェース２５とを備える。また、制御部２４内において、取得された被検体内情報等の出力動作を制御するための出力制御部２４ｂが設けられている。
【００４０】
出力インターフェース２５は、制御部２４から出力された情報を携帯型記録媒体５に対して出力するためのものである。具体的には、出力インターフェース２５は、携帯型記録媒体５を装着可能な物理的構成を有すると共に、出力制御部２４ｂの制御に基づいて、制御部２４から出力された情報を携帯型記録媒体５に対して書き込む機能を有する。
【００４１】
さらに、移動状態導出装置８は、被検体１内部におけるカプセル型内視鏡２の位置を導出する機構として、制御部２４内において位置導出部２４ｃを備えた構成を有する。位置導出部２４ｃは、アンテナ選択部２１によって選択された複数の受信アンテナ７における受信強度と、選択された複数の受信アンテナ７の位置とに基づいてカプセル型内視鏡２の位置を導出する機能を有する。
【００４２】
また、移動状態導出装置８は、カプセル型内視鏡２の移動状態の導出を行う機構として、計時部２７と、カプセル位置記憶部２８とを備えると共に、制御部２４内において状態判定部２４ｄを備えた構成を有する。
【００４３】
計時部２７は、制御部２４に対して時刻を出力するためのものである。本実施の形態１では、計時部２７は、制御部２４の指示に基づいて、位置導出部２４ｃによってカプセル型内視鏡２の位置導出が行われる時刻を制御部２４に対して出力することとする。
【００４４】
カプセル位置記憶部２８は、位置導出部２４ｃによって導出されたカプセル型内視鏡２の位置を、計時部２７から出力された導出時刻と対応づけて記憶するためのものである。カプセル位置記憶部２８は、位置導出部２４ｃによって複数回に渡って行われる位置導出に対応した、複数時刻におけるカプセル型内視鏡２の位置を導出時刻と対応づけて記憶すると共に、状態判定部２４ｄの指示に基づき記憶した情報を出力する機能を有する。
【００４５】
状態判定部２４ｄは、複数時刻におけるカプセル型内視鏡２の位置と、かかる位置の導出時刻に基づいてカプセル型内視鏡２の移動状態を判定するためのものである。具体的には、状態判定部２４ｄは、複数時刻におけるカプセル型内視鏡２の位置等に基づいてカプセル型内視鏡２の位置の変化率を導出し、導出した変化率に基づいてカプセル型内視鏡２の移動状態を判定する機能を有する。かかる判定機能の詳細については後に説明する。
【００４６】
また、移動状態導出装置８は、上記した各構成要素の駆動電力を供給するための蓄電池２９をさらに備える。以上の構成要素によって、移動状態導出装置８は構成されている。
【００４７】
次に、本実施の形態１にかかる移動状態検出システムの動作について説明する。本実施の形態１にかかる移動状態検出システムは、受信アンテナ７ａ〜７ｈの中から被検体１内部に導入されたカプセル型内視鏡２の位置導出に用いられる複数個の受信アンテナ７を選択する位置導出アンテナ選択動作と、選択した受信アンテナ７における無線信号の受信強度に基づいてカプセル型内視鏡２の位置を導出する位置導出動作と、導出した位置に基づいて、カプセル型内視鏡２の移動状態を導出する移動状態導出動作とを行う機能を有する。以下では、これらの動作について順次説明を行うこととする。
【００４８】
まず、位置導出の際に使用する受信アンテナ７を選択する位置導出アンテナ選択動作について説明する。図４は、位置導出アンテナ選択動作の際に選択制御部２４ａによって行われる処理を示すフローチャートである。以下、図４を適宜参照しつつ位置導出アンテナ選択動作について説明する。
【００４９】
なお、図４に示すフローチャートにおいて、受信アンテナ７ａ〜７ｈのそれぞれについて番号ｎを付して参照することとし、例えば、受信アンテナ７ａについてｎ＝１、受信アンテナ７ｂについてｎ＝２、・・・、受信アンテナ７ｈについてｎ＝８とする。また、受信アンテナ７ａ〜７ｈによって受信された無線信号の強度のうち、最も強い受信強度を強度値Ｐmax1、２番目の強度を受信強度Ｐmax2とし、３番目の強度を受信強度Ｐmax3とする。また、受信強度Ｐmax1、Ｐmax2、Ｐmax3となる受信アンテナ７をそれぞれｎ１、ｎ２、ｎ３としてナンバリングする。例えば、受信アンテナ７ａの受信強度が受信強度値Ｐmax1を実現する場合には、ｎ１＝１となる。また、図４のフローチャート中で選択されている受信アンテナ７において検出される受信強度をＰtempとする。また、選択制御部２４ａは、図４のフローチャートに示す処理を開始する前の初期設定として受信強度値Ｐmax1、Ｐmax2、Ｐmax3の値を０、アンテナ番号ｎの値を１として記憶しているものとする。
【００５０】
まず、選択制御部２４ａは、ｎ番目の受信アンテナ７を選択し（ステップＳ１０１）、選択した受信アンテナ７における受信強度Ｐtempを検出し（ステップＳ１０２）、設定されている受信強度Ｐmax3と受信強度Ｐtempの大小関係を判定する（ステップＳ１０３）。そして、受信強度Ｐtempが受信強度Ｐmax3を上回っている場合には（ステップＳ１０３，Ｙｅｓ）、受信強度Ｐmax3およびアンテナ番号ｎ３の更新処理が行われる。すなわち、受信強度Ｐmax3の値を、ステップＳ１０２で検出された受信強度Ｐtempの値に更新し（ステップＳ１０４）、アンテナ番号ｎ３の値をステップＳ１０１で選択した受信アンテナ７の番号であるｎの値に更新する（ステップＳ１０５）。なお、受信強度Ｐtempが受信強度Ｐmax3を下回っている場合には、後述するステップＳ１１６に移行する。
【００５１】
その後、選択制御部２４ａは、ステップＳ１０２で検出された受信強度Ｐtempとあらかじめ設定されている受信強度Ｐmax2との大小関係を判定し（ステップＳ１０６）、受信強度Ｐtempが上回る場合には（ステップＳ１０６，Ｙｅｓ）、受信強度Ｐmax2、Ｐmax3およびアンテナ番号ｎ２、ｎ３の値について更新処理が行われる。すなわち、受信強度Ｐmax3の値を受信強度Ｐmax2の値に更新し（ステップＳ１０７）、受信強度Ｐmax2の値をステップＳ１０２で検出した受信強度Ｐtempの値に更新し（ステップＳ１０８）、アンテナ番号ｎ３をｎ２の値に更新し（ステップＳ１０９）、アンテナ番号ｎ２の値をステップＳ１０１で選択したｎの値に更新する（ステップＳ１１０）。なお、受信強度Ｐtempが受信強度Ｐmax2を下回っている場合には（ステップＳ１０６，Ｎｏ）、後述するステップＳ１１６に移行する。
【００５２】
その後、選択制御部２４ａは、ステップＳ１０２で検出された受信強度Ｐtempとあらかじめ設定されている受信強度Ｐmax1との大小関係を判定し（ステップＳ１１１）、受信強度Ｐtempが上回る場合には（ステップＳ１１１，Ｙｅｓ）、受信強度Ｐmax1、Ｐmax2およびアンテナ番号ｎ１、ｎ２の値について更新処理が行われる。すなわち、受信強度Ｐmax2の値を受信強度Ｐmax1の値に更新し（ステップＳ１１２）、受信強度Ｐmax1の値を受信強度Ｐtempの値に更新し（ステップＳ１１３）、アンテナ番号ｎ２の値をアンテナ番号ｎ１の値に更新し（ステップＳ１１４）、アンテナ番号ｎ１の値をアンテナ番号ｎの値に更新し（ステップＳ１１５）、ステップＳ１１６に移行する。なお、受信強度Ｐtempが受信強度Ｐmax1を下回っている場合には（ステップＳ１１１，Ｎｏ）、ステップＳ１１２〜Ｓ１１５の処理を行うことなくステップＳ１１６に移行する。
【００５３】
そして、ステップＳ１０１で定めたアンテナ番号ｎをｎ＋１に更新する処理を行い（ステップＳ１１６）、更新したアンテナ番号ｎが９と一致するか否かの判定を行う（ステップＳ１１７）。アンテナ番号ｎが９と一致する場合には（ステップＳ１１７，Ｙｅｓ）、受信アンテナ７ａ〜７ｈのすべてに関してステップＳ１０１〜Ｓ１１５の処理が完了したことを意味することからすべての処理を終了し、一致しない場合には（ステップＳ１１７，Ｎｏ）、ステップＳ１１６で更新したアンテナ番号ｎを用いて再びステップＳ１０１からの処理を繰り返す。
【００５４】
以上の処理を行うことによって、受信アンテナ７ａ〜７ｈの中から、位置導出動作の際に使用されるものが３個選択される。すなわち、ステップＳ１０１〜Ｓ１１７の処理によって、アンテナ番号ｎ１、ｎ２、ｎ３に対応する受信アンテナ７、具体的には受信アンテナ７ａ〜７ｈの中から最も受信強度が高いものと、２番目に受信強度が高いものと、３番目に受信強度が高いものとが選択され、かかる３個の受信アンテナ７を用いてカプセル型内視鏡２の位置導出に使用されることとなる。
【００５５】
なお、本実施の形態１では、選択した３個の受信アンテナ７の中から、さらに１個の受信アンテナ７を選択して、カプセル型内視鏡２から送信される無線信号の受信に用いることとしている。すなわち、本実施の形態１では、カプセル型内視鏡２から送信される無線信号はセンサ信号として機能すると共に、カプセル型内視鏡２によって取得された被検体内情報（実施の形態１では被検体内画像）を含んだ状態で送信されるものであり、移動状態導出装置８は、かかる被検体内情報を抽出する機能を有するためである。具体的には、移動状態導出装置８は、例えば、受信強度の値がＰmax1となる受信アンテナ７を選択し、選択した受信アンテナ７を介して無線信号を受信すると共に受信回路２２および情報抽出回路２３によって所定の処理を行った上で被検体内情報を抽出し、制御部３７および出力インターフェース２５を介して携帯型記録媒体５中に被検体内情報を記録している。
【００５６】
次に、位置導出アンテナ選択動作によって選択された３個の受信アンテナ７を用いた、カプセル型内視鏡２の位置導出動作について簡単に説明する。図５は、位置導出部２４ｃによって行われる位置導出動作を説明するための模式図である。なお、図５に示す例では、選択制御部２４ａによって受信アンテナ７ａ、７ｃ、７ｄが選択された場合について示すが、選択される受信アンテナは、被検体１内部におけるカプセル型内視鏡２の位置等によって相違することはもちろんであり、図５は一例を示すに過ぎないことは言うまでもない。
【００５７】
位置導出部２４ｃは、あらかじめ受信アンテナ７ａ〜７ｈの位置座標を把握しており、受信アンテナ７ａ、７ｃ、７ｄのそれぞれの位置座標（ｘa、ｙa、ｚa）、（ｘc、ｙc、ｚc）、（ｘd、ｙd、ｚd）と把握しているものとする。また、受信アンテナ７ａ、７ｃ、７ｄのそれぞれにおける受信強度は、上記の位置導出アンテナ選択動作の際に把握されており、位置導出部２４ｃは、これらの情報に基づいてカプセル型内視鏡２の位置を導出している。
【００５８】
すなわち、受信アンテナ７ａ、７ｃ、７ｄのそれぞれにおける受信強度は、カプセル型内視鏡２との間の距離に応じた値となっている。具体的には、カプセル型内視鏡２から送信される無線信号は距離の（−３）乗に比例して減衰することから、位置導出部２４ｃは、かかる比例関係に基づいてカプセル型内視鏡２と受信アンテナ７ａ、７ｃ、７ｄのそれぞれとの間の距離ｒa、ｒc、ｒdを導出する。そして、位置導出部２４ｃは、例えばこれらの距離の値と、受信アンテナ７ａ、７ｃ、７ｄの位置とを用いて、カプセル型内視鏡２の位置座標（ｘ、ｙ、ｚ）について、
（ｘa−ｘ）2＋（ｙa−ｙ）2＋（ｚa−ｚ）2＝ｒa2・・・（１）
（ｘc−ｘ）2＋（ｙc−ｙ）2＋（ｚc−ｚ）2＝ｒc2・・・（２）
（ｘd−ｘ）2＋（ｙd−ｙ）2＋（ｚd−ｚ）2＝ｒd2・・・（３）
を演算することによって（ｘ、ｙ、ｚ）のそれぞれの値を導出し、カプセル型内視鏡２に関する位置導出動作が完了する。導出されたカプセル型内視鏡２の位置は、導出時刻と対応づけた態様でカプセル位置記憶部２８に記憶されると共に、出力インターフェース２５を介して携帯型記録媒体５に記憶される。
【００５９】
次に、制御部２４に備わる状態判定部２４ｄを用いた移動状態の判定動作について説明する。図６は、移動状態の判定の際における状態判定部２４ｄの動作について示すフローチャートである。以下、図６を参照しつつ移動状態の判定動作について説明する。
【００６０】
まず、状態判定部２４ｄは、カプセル位置記憶部２８に記憶された情報に基づいて、異なる複数の時刻におけるカプセル型内視鏡２の位置に関する情報を入力し（ステップＳ２０１）、入力した情報に基づいて、カプセル型内視鏡２の位置の変化率を導出する（ステップＳ２０２）。例えば、状態判定部２４ｄは、時刻ｔ１において導出されたカプセル型内視鏡２の位置座標（ｘ1、ｙ1、ｚ1）と、時刻ｔ２において導出されたカプセル型内視鏡２の位置座標（ｘ2、ｙ2、ｚ2）とを用いて、位置変化率（Δｒ／Δｔ）について、
Δｒ／Δｔ＝｛（ｘ2−ｘ1）2＋（ｙ2−ｙ1）2＋（ｚ2−ｚ1）2｝1/2／（ｔ2−ｔ1）  ・・・（４）
と演算することによって、カプセル型内視鏡２の位置変化率を導出する。
【００６１】
そして、導出した変化率が所定の閾値以上であるか否かの判定を行う（ステップＳ２０３）。閾値以上と判定された場合には（ステップＳ２０３，Ｙｅｓ）、カプセル型内視鏡２の移動状態を通常状態と判定し（ステップＳ２０４）、閾値未満と判定された場合には（ステップＳ２０３，Ｎｏ）、低速状態と判定する（ステップＳ２０５）。その後、導出した判定結果は、出力インターフェース２５を介して携帯型記録媒体５に記録され、カプセル型内視鏡２が被検体１の外部に排出された後、被検体内画像と共に移動状態について表示装置４上に表示される。
【００６２】
図７は、携帯型記録媒体５に記録された情報に基づいて表示装置４の画面上における表示態様の一例を示す模式図である。図７に示すように、表示装置４の画面上には、カプセル型内視鏡２に備わるＣＣＤ１３によって撮像された被検体内画像３２が表示されると共に、被検体１の外形を模式的に示す被検体像３３が表示されている。そして、被検体像３３中には、被検体１内におけるカプセル型内視鏡２の通過経路３４と、被検体内画像３２の撮像位置３５とが表示されている。表示される通過経路３４は、カプセル型内視鏡２が通常状態で移動する通常領域３４ａと、低速状態で移動する低速領域３４ｂとによって形成されている。かかる通常領域３４ａ、低速領域３４ｂは、状態判定部３７ｄにおける判定結果に基づいて導出されたものであり、通常領域３４ａ、低速領域３４ｂが画面上に表示されることによって、医師、看護士等は、被検体内画像を用いて診断等を行う際にカプセル型内視鏡２が被検体１内のどの部分において低速状態となったか等を把握することが可能となる。
【００６３】
次に、本実施の形態１にかかる移動状態検出システムの利点について説明する。まず、本実施の形態１にかかる移動状態検出システムは、カプセル型内視鏡２の位置の変化率を利用することによって、被検体１内部における移動状態を把握することが可能である。このため、例えばカプセル型内視鏡２によって撮像された多数の被検体内画像を閲覧する際に、低速状態と判定された領域に対応した被検体内画像についてはすべてを閲覧するのではなく、一部のみを閲覧すること等の対処が可能となり、効率的な診断等を行えるという利点を有する。また、検出した移動状態に基づいて、カプセル型内視鏡２に備わるＣＣＤ１３における撮像間隔を調整する等の構成を実現することが可能である。
【００６４】
また、本実施の形態１にかかる移動状態検出システムは、図７にも示したように、表示装置４の画面上に被検体内画像３２のみならずカプセル型内視鏡２の移動状態についてもあわせて表示することとしている。かかる表示態様を採用することによって、医師、看護士等は、被検体１内部のどの部位においてカプセル型内視鏡２が低速状態になっているか等、移動状態の変化を視覚的に把握することが可能であるという利点を有する。
【００６５】
（実施の形態２）
次に、実施の形態２にかかる移動状態検出システムについて説明する。本実施の形態２にかかる移動状態検出システムは、所定の受信アンテナが継続的に選択される時間長に基づいて、カプセル型内視鏡の移動状態を検出する構成を有する。
【００６６】
図８は、本実施の形態２にかかる移動状態検出システムに備わる移動状態導出装置３６の構成を示すブロック図である。なお、本実施の形態２において、実施の形態１と符号・名称が共通する構成要素は、以下で特に言及しない限り実施の形態１と同様の構成・機能を有することとする。また、図示は省略するものの本実施の形態２においても、実施の形態１と同様に被検体内導入システムはカプセル型内視鏡２、表示装置４および携帯型記録媒体５を備えることとする。
【００６７】
図８に示すように、移動状態検出システムは、実施の形態１と同様にアンテナ選択部２１、受信回路２２、情報抽出回路、Ａ／Ｄ変換部２６、出力インターフェース２５および蓄電池２９を備える一方で、選択した受信アンテナ７に関する情報を記憶する選択アンテナ記憶部３８と、選択アンテナ記憶部３８に記憶された情報を用いて、同一の受信アンテナが継続的に選択された時間長に基づいてカプセル型内視鏡２の移動状態を判定する状態判定部３７ｄを設けた制御部３７とを備える。
【００６８】
選択アンテナ記憶部３８は、選択制御部２４ａによって選択された受信アンテナ７の識別情報と、選択された時刻とを対応づけた情報である選択アンテナの履歴情報を記憶する機能を有する。具体的には、選択アンテナ記憶部３８は、選択制御部２４ａによって選択された受信アンテナ７を識別する情報と、選択制御部２４ａがアンテナ選択を行った時刻に関する情報とを互いに関連づけた状態で記憶している。より具体的には、選択アンテナ記憶部３８は、実施の形態１の例の場合に、導出したｎ１、ｎ２、ｎ３の値およびこれらの値を導出した時刻を記憶している。
【００６９】
実施の形態１でも説明したように、選択制御部２４ａは、位置検出のために受信アンテナ７ａ〜７ｈの中から受信強度の高い順に３個の受信アンテナ７を選択する機能を有する。そして、カプセル型内視鏡２は被検体１内部を順次移動することから、カプセル型内視鏡２の移動につれて、無線信号の受信強度が高い受信アンテナ７も変化することとなる。従って、移動状態導出装置３６は、選択制御部２４ａが所定時刻毎にアンテナ選択動作を行うこととし、所定時刻毎に選択動作を行うことによって、カプセル型内視鏡２の移動に応じて、カプセル型内視鏡２から送信される無線信号の受信に適した受信アンテナ７を介した受信動作を行うことを可能としている。選択アンテナ記憶部３８は、かかる目的のもと選択制御部２４ａによって繰り返し行われるアンテナ選択動作の結果およびアンテナ選択動作が行われた時刻を記憶することによって、選択制御部２４ａによって選択された受信アンテナ７の履歴を記憶し、後述する判定動作の際に記憶した情報を状態判定部３７ｄに対して供給する機能を有する。
【００７０】
状態判定部３７ｄは、実施の形態１における状態判定部２４ｄと異なり、選択アンテナ記憶部３８に記憶された選択アンテナの継続選択時間に基づいてカプセル型内視鏡２の移動状態を判定する機能を有する。具体的には、状態判定部３７ｄは、同一の受信アンテナ７が選択される継続選択時間の長さに応じて、カプセル型内視鏡２の移動状態が通常状態または低速状態であると判定する機能を有する。
【００７１】
状態判定部３７ｄによる判定動作について説明する。図９は、状態判定部３７ｄの判定動作を説明するためのフローチャートであり、以下、図９を参照しつつ状態判定部３７ｄの動作について説明する。
【００７２】
まず、状態判定部３７ｄは、選択アンテナ記憶部３８に記憶された選択アンテナの履歴を入力し（ステップＳ３０１）、同一の受信アンテナ７が継続的に選択された継続選択時間の導出を行う（ステップＳ３０２）。そして、導出した継続選択時間が閾値以上であるか否かの判定を行い（ステップＳ３０３）、閾値以上の場合には（ステップＳ３０３，Ｙｅｓ）、カプセル型内視鏡２の移動状態は低速状態であると判定し（ステップＳ３０４）、閾値未満の場合には（ステップＳ３０３，Ｎｏ）、カプセル型内視鏡２の移動状態は通常状態であると判定する（ステップＳ３０５）。
【００７３】
継続選択時間を利用した移動状態の判定動作のメカニズムについて説明する。既に説明したように、選択制御部２４ａは、より良い条件下で無線信号の受信を行う観点からカプセル型内視鏡２から送信される無線信号の受信強度が高い３個の受信アンテナ７を選択することとしている。一方で、実施の形態１でも説明したように、カプセル型内視鏡２から送信される無線信号は、カプセル型内視鏡２から遠ざかるにつれて徐々に減衰する特性を有する。このため、受信アンテナ７ａ〜７ｈのそれぞれを介して受信される無線信号の強度は、受信アンテナ７ａ〜７ｈとカプセル型内視鏡２との間の距離を反映したものとなる。
【００７４】
従って、選択制御部２４ａによって選択される受信アンテナ７は、無線信号の受信に最も適した受信アンテナであるのみならず、カプセル型内視鏡２と最も近接する受信アンテナを意味することとなる。このため、複数回のアンテナ選択動作において同一の受信アンテナ７が選択される場合には、被検体１内部におけるカプセル型内視鏡２の位置がほとんど変化していないと推測することが可能である。また、選択される受信アンテナ７が頻繁に切り替わる場合には、被検体１内部においてカプセル型内視鏡２がある程度の速度で移動しているものと推測することができる。このように、受信アンテナ７の選択履歴とカプセル型内視鏡２の移動状態との間には対応関係が存在することから、本実施の形態２では、受信アンテナ７の選択履歴、より具体的には同一の受信アンテナ７が継続的に選択される継続選択時間に基づいてカプセル型内視鏡２の移動状態を検出することとしている。
【００７５】
かかる構成を採用することによって、簡易な構成の移動状態検出システムを実現することが可能である。すなわち、複数の受信アンテナを被検体１の外部に備えたカプセル型内視鏡システムにおいては、受信アンテナの選択に際して受信強度を基準として選択するのが一般的であり、本実施の形態２における選択制御部２４ａおよびアンテナ選択部２１と同様の機構を備えるものも多い。従って、本実施の形態２にかかる移動状態検出システムは、選択制御部等を備えた従来のカプセル型内視鏡システムに対して、受信アンテナの選択履歴を記憶する機構と、記憶された選択履歴に基づきカプセル型内視鏡の移動状態を判定する機構とを新たに付加することにより実現することが可能である。このように、本実施の形態２にかかる移動状態検出システムは、実施の形態１で説明した利点に加え、簡易にシステムを構成できるという利点を有している。
【００７６】
以上、実施の形態１、２を用いて本発明について説明したが、本発明は上記した実施の形態に限定して解釈する必要はなく、当業者であれば様々な実施例、変形例に想到することが可能である。例えば、実施の形態１、２において、センサ信号の例として無線信号を用いることとしたが、無線信号以外であってもセンサ信号として利用することが可能である。例えば、カプセル型内視鏡２の内部に永久磁石等の磁場形成手段を配置し、かかる磁場形成手段によって形成される磁場をセンサ信号として利用することも可能である。かかる磁場も磁場形成手段から離隔するにつれて徐々に減衰することから、移動状態検出装置が磁場検出機構を備えることによって、被検体１内部におけるカプセル型内視鏡２の位置および移動状態を検出することが可能である。この他にも、距離に応じて減衰する信号であれば、本発明におけるセンサ信号として利用することが可能である。
【００７７】
また、実施の形態１、２では、検出する移動状態として通常状態および低速状態の２通りとしたが、本発明において検出される移動状態としては、これらのものに限定して解釈する必要はない。例えば、１以上の閾値を用いることによって、高速状態、通常状態、低速状態、停滞状態等の少なくとも１以上の移動状態を検出することとしても良い。
【００７８】
さらに、実施の形態１、２においては、移動状態導出装置８、３６のそれぞれが移動状態の判定までを行う構成を有すると共に、表示装置４が別個独立に構成されていることとしている。しかしながら、移動状態導出装置８等と表示装置４とを一体的に構成することとしても良いし、表示装置４内に状態判定部を設けた構成としても良い。また、受信アンテナ７の個数についても、８個に限定する必要はなく、任意の個数とすることが可能であることはもちろんである。
【図面の簡単な説明】
【００７９】
【図１】実施の形態１にかかる移動状態検出システムの全体構成を示す模式図である。
【図２】移動状態検出システムに備わるカプセル型内視鏡の構成を示すブロック図である。
【図３】移動状態検出システムに備わる移動状態導出装置の構成を示すブロック図である。
【図４】位置導出アンテナ選択動作の際に選択制御部によって行われる処理を示すフローチャートである。
【図５】位置導出部によって行われる位置導出動作を説明するための模式図である。
【図６】移動状態の判定の際における状態判定部の動作について示すフローチャートである。
【図７】表示装置の画面上における表示態様の一例を示す模式図である。
【図８】実施の形態２にかかる移動状態検出システムに備わる移動状態導出装置の構成を示すブロック図である。
【図９】状態判定部の判定動作を説明するためのフローチャートである。
【符号の説明】
【００８０】
１  被検体
２  カプセル型内視鏡
３  移動状態検出装置
４  表示装置
５  携帯型記録媒体
７ａ〜７ｈ  受信アンテナ
８  移動状態導出装置
９  被検体内情報取得部
１０  無線送信部
１１  ＬＥＤ
１２  ＬＥＤ駆動回路
１３  ＣＣＤ
１４  ＣＣＤ駆動回路
１６  送信回路
１７  送信アンテナ部
１８  システムコントロール回路
１９  蓄電器
２１  アンテナ選択部
２２  受信回路
２３  情報抽出回路
２４  制御部
２４ａ  選択制御部
２４ｂ  出力制御部
２４ｃ  位置導出部
２４ｄ  状態判定部
２５  出力インターフェース
２６  変換部
２７  計時部
２８  カプセル位置記憶部
２９  蓄電池
３２  被検体内画像
３３  被検体像
３４  通過経路
３４ａ  通常領域
３４ｂ  低速領域
３５  撮像位置
３６  移動状態導出装置
３７  制御部
３７ｄ  状態判定部
３８  選択アンテナ記憶部
【図１】
2006026164.tif 000003
【図２】
2006026164.tif 000004
【図３】
2006026164.tif 000005
【図４】
2006026164.tif 000006
【図５】
2006026164.tif 000007
【図６】
2006026164.tif 000008
【図７】
2006026164.tif 000009
【図８】
2006026164.tif 000010
【図９】
2006026164.tif 000011